(57)【要約】      （修正有）【課題】速度制限等の有色文字標識を断続的に、而も広い面積の照射に適する無機性ＥＬ素子の使用を前提に、低電圧の電池にて対応する道路工事標識装置を提供する。【解決手段】アルミ、合成樹脂等の硬質材料にて形成され、且つ支柱に保持される幅広状の標識板と、表裏面を絶縁薄膜にて絶縁シールドされ、且つ標識板の表面に張付けられた無機性ＥＬ素子標識シートと、前記表面の絶縁薄膜側に貼着されると共に、道路工事、速度制限等の有色文字を複数表示する文字標識シートと、文字標識シートの表面に貼着された光反射シート及び透明性アクリル表面板と、更に標識板の裏面に装備された電源ボックスと、この電源ボックスに収納された直流電池及びこの直流電池を交流に変換すると共に、標識板の表面に位置した無機性ＥＬ素子標識シートに印加して、断続的に点滅照射させる定電圧昇圧型インバータとで成したものである。【選択図】図１
0003161299.tif 000002
【実用新案登録請求の範囲】
【請求項１】
アルミ、合成樹脂等の硬質材料にて形成され、且つ支柱に保持される幅広状の標識板と、表裏面を絶縁薄膜にて絶縁シールドされ、且つ前記標識板の表面に張付けられた無機性ＥＬ素子標識シートと、前記表面の絶縁薄膜側に貼着されると共に、道路工事、速度制限等の有色文字を複数表示する文字標識シートと、該文字標識シートの表面に貼着された光反射シート及び透明性アクリル表面板と、更に前記標識板の裏面に装備された電源ボックスと、この電源ボックスに収納された直流電池及びこの直流電池を交流に変換すると共に、前記標識板の表面に位置した無機性ＥＬ素子標識シートに印加して、断続的に点滅照射させる定電圧昇圧型インバータとで成したことを特徴とする道路工事標識装置。
【請求項２】
前記無機性ＥＬ素子標識シートは、表裏面の絶縁薄膜と共に、ラミネート状に形成したことを特徴とする請求項１記載の道路工事標識装置。
【請求項３】
前記標識板は、無機性ＥＬ素子標識シート、光反射シートを中間に位置させて透明性アクリル表面板を重合せたことを特徴とする請求項１記載の道路工事標識装置。
【請求項４】
前記標識板は、裏面に内広溝付横桟を上下に固定し、支柱の保持金具を前記内広溝付横桟の任意の位置にてスライドさせて、該横桟の内広溝に位置した締付具とで締付固定したことを特徴とする請求項１記載の道路工事標識装置。
【請求項５】
前記定電圧昇圧型インバータの交流出力を、発振回路を介して一定間隔で断続的に点滅表示することを特徴とする請求項１記載の道路工事標識装置。
【考案の詳細な説明】
【考案の詳細な説明】
【技術分野】
【０００１】  本考案は、特に夜間においる道路工事、更にそれに伴う速度制限等の有色文字を断続的に点滅照射させて注意喚起させる道路工事標識装置に関する。
【背景技術】
【０００２】  この種道路工事標識装置としては、商用電源、即ち１００Ｖを用いて道路上に相当長さのコードを引き延ばし、注意喚起用標識を点滅させるものと、更に延長コードを避けるため、移動型小型発電機を用いて行うものとが存在する。
然しながら、前者においては長いコードが道路近辺に這うため、作業、或いは歩行に支障を来たす虞がある。
そこで、下記特許文献の如く、電源として電池を用いるものも存在するが、実施には多くの問題点が山積する。
即ち、乾電池を複数本収納した標識筒体を標識用コーンに差込んで、その標識筒体の上部から光を投射させているが、直流による電圧印加であることから、使用時間に伴って電圧が低下し、投射光が除々に弱くなって行き、その乾電池の交換時期を見過ごしてしまう虞がある。【０００３】  更に、投射光をより高めるためには乾電池の本数を増す必要があり、限界である。
特に、最近スポット的に照射するものに比し、より強力で、而も面状に照射可能なＥＬ表示標識シートを用いられる傾向がある。
ところで、ＥＬ素子は有機性と無機性が存在するが、現状有機性のＥＬ素子は、面積、即ち一定広さ以下にしか形成できず、道路工事標識の如く広い面積には不向きといえる。
そこで、広い面積に適する無機性のＥＬ素子を使用するとなると、１００Ｖからの高電圧を要し、乾電池の低電圧では対応できない等の問題点が存在する。
【特許文献】  実開平３−１２１４９７号
【０００４】
【考案の開示】
【考案が解決しようとする課題】
【０００５】  速度制限等の有色文字標識を断続的に、而も広い面積の照射に適する無機性ＥＬ素子の使用を前提に、低電圧の電池にて対応することへの課題を解決しようとするものである。
【課題を解決するための手段】
【０００６】  以上の課題を解決するために本考案は、アルミ、合成樹脂等の硬質材料にて形成され、且つ支柱に保持される幅広状の標識板と、表裏面を絶縁薄膜にて絶縁シールドされ、且つ前記標識板の表面に張付けられた無機性ＥＬ素子標識シートと、前記表面の絶縁薄膜側に貼着されると共に、道路工事、速度制限等の有色文字を複数表示する文字標識シートと、該文字標識シートの表面に貼着された光反射シート及び透明性アクリル表面板と、更に前記標識板の裏面に装備された電源ボックスと、この電源ボックスに収納された直流電池及びこの直流電池を交流に変換すると共に、前記標識板の表面に位置した無機性ＥＬ素子標識シートに印加して、断続的に点滅照射させる定電圧昇圧型インバータとで成したことを特徴としたものである。
更に本考案は、前記無機性ＥＬ素子標識シートを、表裏面の絶縁薄膜と共に、ラミネート状に形成したことを特徴としたものである。【０００７】  また本考案は、前記標識板を、無機性ＥＬ素子標識シート、光反射シートを中間に位置させて透明性アクリル表面板を重合せたことを特徴とするものである。【０００８】  また本考案は、前記標識板を、裏面に内広溝付横桟を上下に固定し、支柱の保持金具を前記内広溝付横桟の任意の位置にてスライドさせて、該横桟の内広溝に位置した締付具とで締付固定したことを特徴としたものである。
また本考案は、前記定電圧昇圧型インバータの交流出力を発振回路を介して一定間隔で断続的に点滅表示することを特徴としたものである。
【考案の効果】
【０００９】（１）請求項１により、定電圧昇圧型インバータによって直流電池を交流に変換して一定電圧にて無機性ＥＬ素子標識シートに印加しているから、商用電源を用いて道路上に相当長さのコードを引き延ばす危険性がなく、且つ移動型小型発電機を用いる必要性もない。
又、直流を交流に変換するインバータは、定電圧昇圧型としているから、乾電池特有の使用時間に伴う電圧低下、更には投射光が除々に弱くなって、その乾電池の交換時期を見過ごす様なこともなく、且つ広面積の標識に適する無機性ＥＬ素子の使用が可能となる。【００１０】（２）請求項３により、有機性に比し、屋外環境に対しやや難点のある無機性ＥＬ素子標識シートを透明性アクリル表面板にて保護補完することができる。【００１１】（３）請求項４により、支柱に連結される保持金具を任意の位置にスライドさせて調整し、標識板を所定位置に設置でき、作業性が容易となる。【００１２】（４）請求項５により、定電圧昇圧型インバータの交流出力を、発振回路を介して一定間隔で断続的に点滅表示しているので、光反射シートが多少退化しても、適正な注意喚起を維持できる。
【図面の簡単な説明】
【００１３】
【図１】  本考案道路工事標識装置を示す正面図
【図２】  同上の背面図
【図３】  同上の拡大部分図
【図４】  同上の分解斜視図
【図５】  同上の拡大部分断面図
【図６】  本考案道路工事標識装置に係る回路図
【図７】  同上の発振回路図
【図８】  フリップフロップ回路図
【図９】  同上の出力波形図
【考案を実施するための最良の形態】
【００１４】  以下本考案を実施形態の図面に基づいて説明する。図１は本考案に係る道路工事標識装置を示す正面図であって、アルミ、合成脂等の硬質材料にて形成された幅広状の標識板Ｐを支柱１に保持している。
具体的には図３、４に示す如く、標識板Ｐの裏面に内広溝３を有する横桟２を上下に複数本、スポット溶接、ネジ等にて固定し、更に支柱１を割形保持金具４の開脚上下片４ａ、４ｂにて挟持すると共に、前記横桟２の内広溝３に備えられた締付具５をスライドして位置させ、該締付具５の締付によって所定位置にてセットすることとしている。尚、この締付具５は、ボルト６と抜止ナット７より成っている。【００１５】  而して標識板Ｐ及び無機性ＥＬ素子標識シート８等の相互間の具体例として、図５の断面図にて示している。
即ち、無機性ＥＬ素子標識シート８の表裏面を絶縁薄膜９、１０にてシールドし、更に速度制限等の有色文字Ｓを複数表示する文字標識シート１１、更には光反射シート１２を夫々積層して、ラミネート状に形成し、透明性アクリル表面板１３にて表面保護し、上記アルミ、合成脂等の硬質材料性の標識板Ｐにて裏打ちされた状態にて補強されている。
勿論、表面板１３は、他の合成樹脂製としてもよい。【００１６】  図２に示す如く、複数本の電池１４を電源ボックス１５に収納し、標識板Ｐの裏面に、その横桟２間に位置させて装備している。この電池１４の取替えはカバー１６の開蓋により行う。
尚、この電池１４は、実施例の図６に示す如く４本とし、６Ｖとしているが、勿論、本数を限定するものではなく、又充電式の蓄電池としてもよいのは当然である。【００１７】  図６は、文字標識シート１１の速度制限等の有色文字Ｓを一定間隔で断続的に点滅表示させる回路図の具体例であって、電池１４に電源スイッチ１７及び明暗動作対応型の自動点滅器１８を直列接続し、更に電池１４の直流を定電圧昇圧型インバータ１９によって、交流に変換すると共に、無機性ＥＬ素子標識シート８の使用が可能な１００Ｖ交流に昇圧して一定電圧を維持する。
更に、定電圧昇圧型インバータ１９には、一定間隔で断続的に印加する発振回路２０が接続されている。図７は発振回路２０をＣＲ回路としており、図８はフリップフロップ回路としている。【００１８】  図９は出力振幅の変化を並列接続された各々の無機性ＥＬ素子標識シート８に出力し、速度制限等の有色文字Ｓを一定間隔で断続的に点滅表示させることとしている。
【符号の説明】
【００１９】  Ｐ    標識板
Ｓ    有色文字
１    支柱
２    横桟
４    保持金具
５    締付具
８    無機性ＥＬ素子標識シート
９    絶縁薄膜
１０  絶縁薄膜
１１  文字標識シート
１２  光反射シート
１３  透明性アクリル表面板
１４  電池
１５  電源ボックス
１７  電源スイッチ
１８  自動点滅器
１９  定電圧昇圧型インバータ
２０  発振回路
【図１】
0003161299.tif 000003
【図２】
0003161299.tif 000004
【図３】
0003161299.tif 000005
【図４】
0003161299.tif 000006
【図５】
0003161299.tif 000007
【図６】
0003161299.tif 000008
【図７】
0003161299.tif 000009
【図８】
0003161299.tif 000010
【図９】
0003161299.tif 000011